(57)【特許請求の範囲】
【請求項１】
建物の天井裏に吊下げられる取付枠と、
前記取付枠に取り付けられる装置本体と、
前記装置本体に取り付けられるルーバと、を備え、
前記装置本体は、前記装置本体の側面下端から外方へ突出するフランジを備え、
前記取付枠は、天井に形成された開口部に嵌り中心軸が上下方向に延びた筒形状の筒部と、前記筒部の内面から内方へ突出する水平面部と、を備え、
前記取付枠の前記水平面部に前記装置本体の前記フランジを固定するとともに、前記装置本体の下部に前記ルーバを固定し、
前記取付枠の前記水平面部は、前記筒部の下端と所定の距離を有して設けられ、
前記装置本体の前記フランジは、前記天井の下面より上方で前記水平面部の下方に配置され、
前記フランジの下面に接するように、前記ルーバが前記装置本体の下部に取り付けられ、
前記ルーバは、前記天井の下面より下方に配置される下部ルーバ部と、前記天井の下面より上方で前記フランジの下方に配置される上部ルーバ部と、を備え、前記上部ルーバ部内には、前記装置本体と室内とを連通する風路の一部が設けられており、
前記装置本体の前記フランジの下面に前記上部ルーバ部を合わせて固定し、前記上部ルーバ部と前記フランジとの間には、空気漏れ防止構造が設けられており、
前記空気漏れ防止構造は、前記上部ルーバ部の上面および前記フランジの下面のいずれか一方に設けられた溝部と、いずれか他方に設けられて前記溝部に挿入された突起部と、を備える、空気調和機。
【発明の詳細な説明】
【技術分野】
【０００１】
本開示は、天井裏に吊り下げ設置される空気調和機に関する。
【背景技術】
【０００２】
従来、この種の天井埋め込み型の空気調和機として様々な構成のものが知られている。例えば、天井壁に形成された開口部に挿入して配置され、空気を加熱するヒータと、空気を加湿する加湿部とを備えた天井埋め込み型サウナ装置が知られている（例えば、特許文献１参照）。
【０００３】
ここで、特許文献１の天井埋め込み型のサウナ装置の設置状態を図１０に示す。図１０に示すように、サウナ装置１００は、ファン１１７、ヒータ１１８、および循環風路１１６を有する本体１０４と、吹出口１１２および吸込口１１０が設けられたパネル１０６とを備える。
【０００４】
本体１０４は、天井壁１０１に形成された開口部１０２より浴室側から挿入されるとともに、天井裏において吊りロッド１２１により吊り下げられている。また、本体１０４の下面周囲には側方に突出形成されたフランジ１０３が設けられている。天井壁１０１の下面側における開口部１０２の周縁にフランジ１０３が配置され、ネジ止めによりフランジ１０３が天井壁１０１に固定されている。パネル１０６は、下方側よりフランジ１０３に嵌め合わされて取り付けられている。
【先行技術文献】
【特許文献】
【０００５】
【特許文献１】特開２００８−１０４４８６号公報
【発明の概要】
【発明が解決しようとする課題】
【０００６】
特許文献１のような構造の天井埋め込み型の空気調和機では、吹出口１１２および吸込口１１０が設けられたパネル１０６、すなわちルーバが、天井壁１０１の下面側に配置された本体１０４のフランジ１０３に取り付けられる構造が採用されている。そのため、天井壁１０１より下方に露出するルーバの上下方向の寸法が大きく、デザイン性の観点からも改善望まれる。
【０００７】
従って、本開示の目的は、上記従来の課題を解決することにあって、天井より下方に露出するルーバの上下方向の寸法を小さくすることができる天井埋め込み型の空気調和機を提供することにある。
【課題を解決するための手段】
【０００８】
上記目的を達成するために、本開示の空気調和機は、建物の天井裏に吊下げられる取付枠と、前記取付枠に取り付けられる装置本体と、前記装置本体に取り付けられるルーバと、を備え、前記装置本体は、前記装置本体の側面下端から外方へ突出するフランジを備え、前記取付枠は、天井に形成された開口部に嵌り中心軸が上下方向に延びた筒形状の筒部と、前記筒部の内面から内方へ突出する水平面部と、を備え、前記取付枠の前記水平面部に前記装置本体の前記フランジを固定するとともに、前記装置本体の下部に前記ルーバを固定し、前記取付枠の前記水平面部は、前記筒部の下端と所定の距離を有して設けられ、前記装置本体の前記フランジは、前記天井の下面より上方で前記水平面部の下方に配置され、前記フランジの下面に接するように、前記ルーバが前記装置本体の下部に取り付けられるものである。
【発明の効果】
【０００９】
本開示の天井埋め込み型の空気調和機によれば、天井より下方に露出するルーバの上下方向の寸法を小さくすることができる。
【図面の簡単な説明】
【００１０】
【図１】本開示の一の実施の形態にかかる天井埋め込み型の空気調和機の外観斜視図
【図２】図１の空気調和機の分解斜視図（斜め下方から見た図）
【図３】図１の空気調和機の分解斜視図（斜め上方から見た図）
【図４】図１の空気調和機の天井裏への設置状態を示す断面図
【図５】図１の空気調和機の天井裏への設置状態を示す分解断面図
【図６】図１の空気調和機の天井裏への設置状態を示す分解断面図
【図７】図１の空気調和機の装置本体における取付枠との取付箇所を示す下面図
【図８】図１の空気調和機の装置本体におけるルーバとの取付箇所を示す下面図
【図９】図１の空気調和機の装置本体のフランジとルーバとの関係を示す部分断面図
【図１０】従来の天井埋め込み型の空気調和機（サウナ装置）の天井への設置状態を示す断面図
【発明を実施するための形態】
【００１１】
本開示の第１態様によれば、建物の天井裏に吊下げられる取付枠と、前記取付枠に取り付けられる装置本体と、前記装置本体に取り付けられるルーバと、を備え、前記装置本体は、前記装置本体の側面下端から外方へ突出するフランジを備え、前記取付枠は、天井に形成された開口部に嵌り中心軸が上下方向に延びた筒形状の筒部と、前記筒部の内面から内方へ突出する水平面部と、を備え、前記取付枠の前記水平面部に前記装置本体の前記フランジを固定するとともに、前記装置本体の下部に前記ルーバを固定し、前記取付枠の前記水平面部は、前記筒部の下端と所定の距離を有して設けられ、前記装置本体の前記フランジは、前記天井の下面より上方で前記水平面部の下方に配置され、前記フランジの下面に接するように、前記ルーバが前記装置本体の下部に取り付けられる、空気調和機を提供する。
【００１２】
本開示の第２態様によれば、前記ルーバは、前記天井の下面より下方に配置される下部ルーバ部と、前記天井の下面より上方で前記フランジの下方に配置される上部ルーバ部と、を備え、前記上部ルーバ部内には、前記装置本体と室内とを連通する風路の一部が設けられている、第１態様に記載の空気調和機を提供する。
【００１３】
本開示の第３態様によれば、前記装置本体の前記フランジの下面に前記上部ルーバ部を合わせて固定し、前記上部ルーバ部と前記フランジとの間には、空気漏れ防止構造が設けられている、第１態様または第２態様に記載の空気調和機を提供する。
【００１４】
本開示の第４態様によれば、前記空気漏れ防止構造は、前記上部ルーバ部の上面および前記フランジの下面のいずれか一方に設けられた溝部と、いずれか他方に設けられて前記溝部に挿入された突起部と、を備える、第３態様に記載の空気調和機を提供する。
【００１５】
（実施の形態）
以下に、本開示にかかる実施の形態を図面に基づいて詳細に説明する。
【００１６】
本開示の一の実施の形態にかかる天井埋め込み型の空気調和機１の外観斜視図を図１に示す。本実施の形態の空気調和機１の分解斜視図として、斜め下方から見た図を図２に示し、斜め上方から見た図を図３に示す。また、本実施の形態の空気調和機１の天井裏への設置状態を示す断面図を図４に示し、この設置状態における分解断面図を図５、図６に示す。
【００１７】
図１から図６に示すように、天井埋め込み型の空気調和機１は、建物（図示せず）の天井裏に吊り下げられる取付枠２０と、取付枠２０に取り付けられる装置本体１０と、装置本体１０に取り付けられるルーバ３０とを備える。
【００１８】
装置本体１０は、下部が開口された大略箱状の筐体１１と、筐体１１の下部開口に連通された風路１２と、風路１２上に配置されたフィルタ１３と、風路１２上に配置されたファン１４と、を備える。ファン１４を駆動させることにより、風路１２を通して室内の空気を取り入れて、フィルタ１３にて室内空気を浄化するとともに、風路１２を通して浄化した空気を室内に送り出すことができる。装置本体１０の筐体１１における側面下端には、側面下端から外方に突出するフランジ１５が設けられている。なお、本実施の形態の空気調和機１では、フランジ１５は装置本体１０の外周全体に渡って設けられている。また、装置本体１０には、その他、ファン１４を駆動・制御するための電装部品などが備えられているが、その図示を省略する。
【００１９】
取付枠２０は、中心軸が上下方向に延びた角筒形状の筒部（あるいは角筒状の枠体）２１を備える。筒部２１には、内周面から内方へ突出する水平面部２２が設けられている。水平面部２２は、筒部２１の内周の略全体を周回するように、所定の突出幅にて形成されている。また、水平面部２２は、筒部２１の下端と所定の距離を有して設けられており、筒部２１の下端よりも上方に位置している。
【００２０】
筒部２１の上部には、複数箇所（本実施の形態では４箇所）上方に突出する支持部材２３が設けられている。建物の天井裏に固定された吊り金具２４にそれぞれの支持部材２３がナット等により締結されることにより、取付枠２０が天井裏に吊り下げられる。また、取付枠２０は、天井（天井壁）２に形成された開口部３の内側に筒部２１の一部が嵌まるように配置されている。すなわち、筒部２１の一部が開口部３の内側に配置されている。また、本実施の形態では、筒部２１の下端は、例えば天井２の下面とほぼ同じ高さに位置されている。なお、天井２の開口部３と取付枠２０との間には隙間が設けられていてもよい。また、天井２の上面における開口部３の周縁には、開口部３を補強するための天井枠４が設けられている。
【００２１】
ルーバ３０は、大略四角形形状を有し、その下面の外周縁に沿って吸込口３１および吹出口３２が設けられている。具体的には、図３において、図示右側部分に吸込口３１が、図示左側部分に吹出口３２が設けられている。ルーバ３０内部には、吸込口３１と連通された吸込風路３３と、吹出口３２と連通された吹出風路３４とが設けられている。
【００２２】
次に、空気調和機１において、装置本体１０、取付枠２０、およびルーバ３０の互いの取付構造について説明する。
【００２３】
図４から図６に示すように、装置本体１０のフランジ１５の上面が、取付枠２０の水平面部２２の下面に重ねるように配置され、複数の取付箇所においてねじ止めされることで、装置本体１０が取付枠２０に取り付けられる。装置本体１０の取付枠２０への取付箇所（ねじ止め箇所）２４を図７に示す。また、取付枠２０において、水平面部２２は筒部２１の下端よりも上方に離間して設けられている。そのため、装置本体１０が取付枠２０に取り付けられた状態において、フランジ１５は筒部２１の内方に位置されるとともに、筒部２１の下端と略同じ高さ位置あるいは下端よりも上方に位置されている。すなわち、取付枠２０の水平面部２２の下方における筒部２１より内方の空間にフランジ１５が収容されており、また、フランジ１５は、天井２の下面より上方に配置されている。
【００２４】
ルーバ３０は、装置本体１０の下部に複数の取付箇所にてねじ止めされることで、ルーバ３０が装置本体１０に脱着可能に取り付けられている。装置本体１０へのルーバ３０の取付箇所（ねじ止め箇所）３５を図８に示す。また、ルーバ３０が装置本体１０に取り付けられた状態において、ルーバ３０の一部は装置本体１０の筐体１１の内部に配置され、ルーバ３０の周縁部分は装置本体１０のフランジ１５の下面に接している。また、ルーバ３０が装置本体１０に取り付けられた状態において、ルーバ３０の吸込風路３３が装置本体１０の風路１２の入口（吸い込み側）に連通され、吹出風路３４が風路１２の出口（吹き出し側）に連通される。
【００２５】
図６に示すように、ルーバ３０は、取付状態において天井２の下面より下方に配置される下部ルーバ部３６と、天井２の下面より上方に配置される上部ルーバ部３７と備える。上部ルーバ部３７における周縁部分は、装置本体１０のフランジ１５の下方に配置されている。下部ルーバ部３６の外縁は、天井２の開口部３よりも僅かに大きな外形寸法に形成されており、ルーバ３０を装置本体１０に取り付けた状態において、天井２の開口部３が室内側から見えないようにされている。また、上部ルーバ部３７の外縁は、天井２の開口部３よりも小さな外形寸法に形成されている。また、上部ルーバ部３７および下部ルーバ部３６内には、装置本体１０と室内とを連通する風路である吸込風路３３および吹出風路３４の一部が設けられている。
【００２６】
上部ルーバ部３７とフランジ１５との間には、空気漏れ防止構造５が設けられている。ここで、空気漏れ防止構造５の詳細構成について、図９を用いて説明する。図９は、装置本体１０のフランジ１５とルーバ３０（特に上部ルーバ部３７）との関係を示す部分断面図である。
【００２７】
図９に示すように、上部ルーバ部３７の外縁部分における上面には、上方に突出形成された内周側および外周側の２つのリブ３８、３９が設けられている。２つのリブ３８、３９は一定の間隔を保ちながら、上部ルーバ部３７の外縁を周回するように設けられている。この２つのリブ３８、３９の間が上部ルーバ部３７の外縁を周回する溝部４０となっている。装置本体１０のフランジ１５の下面において、上部ルーバ部３７の溝部４０に対向する部分には、下方に突出形成された突起部１６が設けられている。突起部１６は、フランジ１５を周回するように全周に渡って形成されている。
【００２８】
図９に示すように、ルーバ３０を装置本体１０に取り付けた状態において、フランジ１５の突起部１６が、上部ルーバ部３７の溝部４０内に挿入された状態となる。また、溝部４０を形成する２つのリブ３８、３９と、溝部４０内に挿入された突起部１６との間には、隙間がほとんど無い状態あるいは僅かな隙間が存在する状態とされている。これにより、装置本体１０とルーバ３０との取付部分より外部に空気が漏れることを抑制できる。
【００２９】
このような構成の本実施の形態の空気調和機１において空気調和を行う動作について説明する。
【００３０】
空気調和機１において、ファン１４を駆動すると、ルーバ３０の吸込口３１から室内空気が取り込まれ、吸込風路３３を通して装置本体１０の風路１２の吸い込み側に室内空気が導入される。装置本体１０の風路１２上に設けられたフィルタ１３にて空気が浄化され、浄化された空気がファン１４の内部を通して風路１２の吹き出し側に送り出される。その後、ルーバ３０の吹出風路３３を通して吹出口３２より空気が室内に送り出される。
【００３１】
本実施の形態の空気調和機１では、装置本体１０が取り付けられる取付枠２０において、筒部２１の内周面から内方へ突出する水平面部２２が設けられるとともに、筒部２１の下端と所定の距離上方に離間して水平面部２２が設けられている。筒部２１の下端と水平面部２２との間の空間を利用することで、水平面部２２の下面に装置本体１０のフランジ１５を固定した状態にて、天井２の下面よりも上方にフランジ１５を配置することができる。よって、フランジ１５の下面に接するように配置されるルーバ３０の一部を天井２の下面よりも上方に位置させることができる。したがって、天井２の下面より下方に露出するルーバ３０の上下方向の寸法を小さくすることができ、室内側から視認される空気調和機１のデザイン性を高めることができる。
【００３２】
また、ルーバ３０が、上部ルーバ部３７および下部ルーバ部３６を備え、天井２の開口部３よりも僅かに大きな外形寸法を有する下部ルーバ部３６が天井２の下面より下方に配置される。その一方、天井２の開口部３よりも小さな外形寸法を有する上部ルーバ部３７を天井２の下面よりも上方に配置させることができる。よって、天井２の下面より下方に露出するルーバ３０の上下方向の寸法を、少なくとも上部ルーバ部３７の分だけ小さくすることができ、室内側から視認される空気調和機１のデザイン性を高めることができる。
【００３３】
上記実施の形態の説明では、取付枠２０が角筒形状の筒部２１を備える場合を一例としたが、取付枠の形状は角筒形状に限定されず、その他、多角形筒形状または円筒形状などであってもよい。
【００３４】
また、空気調和機１が有する空気調和機能は、フィルタ１３を用いた空気浄化機能に限られず、冷房・暖房機能（熱交換機能）、加湿機能、換気機能などを有する場合であってもよい。また、装置本体１０にダクトを接続して、ダクトを通じて室内空気を排気する、あるいは給気するようにしてもよい。
【００３５】
また、空気漏れ防止構造５が、フランジ１５の突起部１６と上部ルーバ部３７の溝部４０とにより構成される場合を例としたが、このような場合に限られない。例えば、フランジ１５に設けられた溝部と、上部ルーバ部３７に設けられた突起部とにより空気漏れ防止構造を構成してもよい。また、フランジ１５と上部ルーバ部３７との間に設けられたシール部材を空気漏れ防止構造としてもよい。
【００３６】
なお、上記様々な実施の形態のうちの任意の実施の形態を適宜組み合わせることにより、それぞれの有する効果を奏するようにすることができる。
【産業上の利用可能性】
【００３７】
本開示の空気調和機は、室内空気の浄化、熱交換、換気などの空気調和を行う天井埋め込み型の空気調和機に適用することができる。
【符号の説明】
【００３８】
１  天井埋め込み型の空気調和機
２  天井（天井壁）
３  開口部
４  天井枠
５  空気漏れ防止構造
１０  装置本体
１１  筐体
１２  風路
１３  フィルタ
１４  ファン
１５  フランジ
１６  突起部
２０  取付枠
２１  筒部
２２  水平面部
２３  支持部材
２４  取付箇所（ねじ止め箇所）
３０  ルーバ
３１  吸込口
３２  吹出口
３３  吸込風路
３４  吹出風路
３５  取付箇所（ねじ止め箇所）
３６  下部ルーバ部
３７  上部ルーバ部
４０  溝部
【図１】
0006581393.tif 000002
【図２】
0006581393.tif 000003
【図３】
0006581393.tif 000004
【図４】
0006581393.tif 000005
【図５】
0006581393.tif 000006
【図６】
0006581393.tif 000007
【図７】
0006581393.tif 000008
【図８】
0006581393.tif 000009
【図９】
0006581393.tif 000010
【図１０】
0006581393.tif 000011